(57)【要約】【課題】ジェット噴射による還流水還流、α波ミュージック発信、ハーブ剤添加混入などにより、室内をトータルにヘルシーバラエティにして、それにより人間の疲労、ストレスを本質的に除去し、癒すための総合的なリラクゼ−ション機器・装置を提供する。【解決手段】還流水を還流する還流器、ハ−ブ等の健康剤を添加混入させる添加混入容器、前記マイナスイオン還流水を噴射するジェット噴射器並びに当該ジェット噴射水受け部から成り、さらにα波発信ミュージック機器、色調変化が可能な照明装置、ジェット噴射強弱スイッチ、ジェット噴射タイマーを備える。【選択図】        図１
2004329733.tif 000002
【特許請求の範囲】
【請求項１】
マイナスイオン発生用水流ジェット噴射器及び当該ジェット噴射水受け部から成ることを特徴とするリラクゼ−ション装置。
【請求項２】
前記リラクゼ−ション装置は、マイナスイオン発生用水を還流する還流器及び／又はハ−ブ等の健康剤を添加混入させる添加混入容器を有することを特徴とする、請求項１に記載のリラクゼ−ション装置。
【請求項３】
前記リラクゼ−ション装置におけるジェット噴射水受け部は、傘型又はパラボナアンテナ型様の窪み形状であることを特徴とする、請求項１に記載のリラクゼ−ション装置。
【請求項４】
前記リラクゼ−ション装置におけるジェット噴射水受け部は、更に一条又は複数条の滝型流を構成することを特徴とする、請求項１に記載のリラクゼ−ション装置。
【請求項５】
前記リラクゼ−ション装置は、ジェット噴射水強弱スイッチを備えていることを特徴とする、請求項１に記載のリラクゼ−ション装置。
【請求項６】
前記リラクゼ−ション装置は、ジェット噴射水タイマーを備えていることを特徴とする、請求項１に記載のリラクゼ−ション装置。
【請求項７】
前記リラクゼ−ション装置は、色調変化が可能な照明装置を備えていることを特徴とする、請求項１に記載のリラクゼ−ション装置。
【請求項８】
前記リラクゼ−ション装置は、α波発信ミュージック機器を備えていることを特徴とする、請求項１に記載のリラクゼ−ション装置。
【発明の詳細な説明】
【０００１】
【発明の属する技術分野】
本発明は、マイナスイオン発生用水流ジェット噴射器及び当該ジェット噴射水受け部から成ることによる、室内リラクゼ−ション装置に関するものである。又更には、これに加え、マイナスイオン発生用水を還流する還流器、ハ−ブ等の健康剤を添加混入させる添加混入容器、α波発信ミュージック機器、色調変化が可能な照明装置などを備えた総合的なリラクゼ−ション装置に関するものである。
【０００２】
【従来の技術】
文明の発達によって、現在社会は人々に様々なストレスを与えている。また、家の中には、コンピュータ、テレビ、オーディオ機器、電子レンジ、調理器、冷暖房機器などがいっぱい存在し、室内には至るところに、プラスイオンが充満している。このプラスイオンは、身体機能、免疫力の向上に反し、又ストレスや疲労感の増加などの悪影響が見られる。
これらの人体の健康に悪影響を与える要素を除去するために、マッサージ機能の付いた椅子や、ヒーリングミュージック装置、空気清浄器、マイナスイオン発生の加湿器など、種々様々な提案がなされてきた。
【０００３】
これらのものの中には、単に人体の肉体的疲労、ストレスなどを取り去る為のものから精神的な疲労、ストレスを取り去るためのものまで色々と提案されてきており、人間の個々のマイナス要素の多様化を如実に表していた。
【０００４】
【発明が解決しようとする課題】
しかしながら、これまでのものは、単一構成的な装置や機器類によるものが殆どであり、多様化する人間の個々のマイナス要素を除去する、総合的な装置や機器は見られず、現今の人間のストレスを本質的に除去し、癒すものは見られなかった。
【０００５】
本発明は、以上の点に鑑み、ジェット噴射によるマイナスイオン発生、α波ミュージック発信、ハーブ剤添加混入などにより、室内をトータルにヘルシーバラエティにして、それにより人間の疲労、ストレスを本質的に除去し、癒すための総合的なリラクゼ−ション機器・装置を提供することを目的としている。
【０００６】
【課題を解決するための手段】
上記目的は、本発明によれば、マイナスイオン発生用水流ジェット噴射器及び当該ジェット噴射水受け部から成ることを特徴とするリラクゼ−ション装置により達成される。このジェット噴射器により噴射される水流が当該ジェット噴射水受け部に衝突し、水破砕によるマイナスイオンが室内に発生し、リラクゼ−ション装置として作用する。
【０００７】
本発明によるリラクゼ−ション装置は、好ましくは、マイナスイオン発生用水を還流する還流器及び／又はハ−ブ等の健康剤を添加混入させる添加混入容器を有する。これにより、マイナスイオンの発生が継続的になされ、またさらに癒しの機能が見られるリラクゼ−ション装置として作用する。
【０００８】
本発明によるリラクゼ−ション装置は、好ましくは、ジェット噴射水受け部が、傘型又はパラボナアンテナ型様の窪み形状である。これにより、ジェット噴射水が効果的に集約されて受け得ることとなり、水破砕によるマイナスイオンが効果的に発生する。
【０００９】
本発明によるリラクゼ−ション装置は、好ましくは、ジェット噴射水受け部が、一条又は複数条の滝型流を構成する。これにより、ジェット噴射水が効果的に受け得ることとなり、水破砕によるマイナスイオンが効果的に発生すると共に、水衝突音並びに滝流れ音によるα波発信による聴覚的ヒーリング並びに視覚的なヒーリング作用が見られる。
【００１０】
本発明によるリラクゼ−ション装置は、好ましくは、ジェット噴射水強弱スイッチを備えている。これにより、使用者の任意による装置の強弱調節が可能となる。
【００１１】
本発明によるリラクゼ−ション装置は、好ましくは、ジェット噴射水タイマーを備えている。これにより、使用者の任意による装置の稼動調節が可能となる。
【００１２】
本発明によるリラクゼ−ション装置は、好ましくは、色調変化が可能な照明装置を備えている。これにより、視覚的なヒーリング作用が見られる。
【００１３】
本発明によるリラクゼ−ション装置は、好ましくは、α波発信ミュージック機器を備えている。これにより、聴覚的なヒーリング作用が見られる。
【００１４】
このようにして、本発明によれば、ジェット噴射によるマイナスイオンの発生を継続的になすことが出来、さらにα波ミュージック発信、ハーブ剤添加混入、色調変化が可能な照明装置などにより室内をトータルにヘルシーバラエティにして、それにより人間の疲労、ストレスを本質的に除去し、癒すための総合的なリラクゼ−ション機器・装置を提供することが出来る。
【００１５】
【発明の実施の形態】
以下、本発明の一実施形態によるリラクゼ−ション装置を図面に基づき説明する。
なお、以下に述べる実施態様は、本発明の好適な具体例であるから、技術的に好ましい種々の限定が付されているが、本発明の範囲は、以下の説明において特に本発明を限定する旨の記載がない限り、これらの態様に限られるものではない。
【００１６】
マイナスイオンは、マイナス電気を帯びた酸素と空気中の微細な水が結合したもので、身体機能の向上、免疫力の向上やストレス・疲労感などの軽減に役立つことが知られて来た。マイナスイオン発生の際に出来た電子が空気中の水滴に衝突することにより、水滴を大きいプラスイオンのものと小さいマイナスイオンのものとに分かち、空気中はマイナスイオンが漂うこととなる。このようなマイナスイオン雰囲気の室内は自然の森林や滝などの中にいるのと同様の作用が見られる。
一般に、一つのプラスイオンにはマイナスイオンが付いていて、一つ失うと相手から貰う習性が見られる。これが活性酸素の原理として知られている。相手から奪うものであるところから、相手が消えて酸化されることとなる。その際に出てきた、離れたイオンがマイナスイオンとなって生じることとなる。これが瞬時に動いて何処かにくっついて穏やかに落ちつかせる作用が生じる。この活性酸素は、相手から奪おうとするところから酸化させてしまう性質が見られる。一方、その相手のイオンを奪って自分が穏やかになると見られる。この活性酸素はプラスイオンで、そのプラスイオンの多い所に、はじいてマイナスイオン因子を多く作ることにより、更に又そのマイナスイオンを至る所に付着させることにより、穏やかになる。このように、多くのマイナスイオを多く発生させることにより、相手のプラスイオンを奪う性質がなくなる。
このような、マイナスイオン発生は、自然界では滝の付近で多く見られるが、電子放射式やコロナ放電式の他に水破砕によるものがあり、本発明においては、水破砕方式を利用しているもので、滝の付近で見られる発生量より多くのマイナスイオンが確認できる。
【００１７】
具体的には、マイナスイオンは血液の浄化作用、新陳代謝の活性化と抵抗力の増進作用を有し、自然治癒力を高めることが知られて来ている。このように、体液や細胞、神経に良い影響を与え、全ての臓器や組織の機能を良好にし、自律神経と内分泌機能のバランスを調整する作用が見られる。
しかしながら、現代生活に欠かせない多くの電化製品や化学繊維、新建材などからは、非常に多くのプラスイオンが発生し、生活環境全体がプラスイオン過多の状態となっている。このようにプラスイオン過多の状態になると、上記とは反対の作用が見られ、自律神経などの組織に疲労を来し、めまい、頭痛、神経衰弱、不眠、情緒不安定などの症状や、肉体的精神的な機能低下を来すこととなり、ひいてはストレス、イライラなどがつのり多くの現代病の元となっている。
本発明は、このプラスイオンを覆うマイナスイオンを人為的に室内に発生させることにより、リラクゼ−ション作用を果たすものである。
【００１８】
また、α波は、心身共にリラックスしている快適な状態の時に発生するもので、人間の脳波の一種であることが知られている。リラックスすることにより、緊張などを解くと同時に思考力、集中力も活発となり、瞑想時やイメージトレーニング能力開発などにも重要な役割を果たしている。
このα波を発生させるようにした心を癒すミュージックセラピーが考えられている。α波ミュージックやヒーリングミュージックなどがこれにあたり、音楽の持つ機能性を活用して、病気の治療、健康保持、増進に用いる方法で、精神安定作用を活用して行っているものである。
本発明は、このα波ミュージックを人為的に室内に発生させることにより、リラクゼ−ション作用を果たすものである。
【００１９】
図１は、本発明のリラクゼ−ション装置を説明的に示す斜視図である。ここにおいて、１は本発明に係るリラクゼ−ション装置全体を示している。２は先端にマイナスイオン発生用の噴射ノズル２’を有する水流ジェット噴射機器であり、後述の還流水を貯蔵する貯蔵庫３に接続され固定設置される。
【００２０】
このジェット噴射機器２は、当該ジェット噴射の強弱を調節し、稼動時間を調節する、後述のジェット噴射水強弱スイッチ８及びジェット噴射水タイマー９を備えている。噴射ノズル２’を有する水流ジェット噴射機器２から噴射されたジェット噴射水は、例えばガラス又は硬質プラスチックから成るパラボナアンテナ型のジェット噴射水受け部４に効果的に集約され、噴射激突し、水破砕作用によりマイナスイオンを室内２０中に霧状による雰囲気として発生させる。このジェット噴射水受け部４は、さらに１条や複数条の滝型流５，５として接続構成される。
【００２１】
ジェット噴射水受け部４に噴射激突した水流は、上述のように水破砕によるマイナスイオンを発生させ、さらに落下した後還流用のプール部６にプールされる。この還流用プール部６にプールされた還流水は、モータ（不図示）等により上記還流水を貯蔵する貯蔵庫３に還流のため貯蔵される。このようにして、還流水は適宜還流される。
【００２２】
この際に、ハーブなどの健康剤を、手動又は電動により添加混入する添加混入容器７を設け、これにより還流水にハーブ剤を添加混入する。これにより、好ましい芳香によるヒーリング作用が見られる。
ここに使用されるハーブ剤は既知のものの殆どが使用し得るが、還流水に溶解し易い粉状に加工されたもので、さらに水流ジェット噴射機器２の先端に設けられた噴射ノズル２’に目詰まりなどの不具合を与えない粒度のものが好ましい。
ハーブ剤として、いわゆる西洋ハーブ剤には、アロエ、キダチアロエ、アロエベラ、イチョウ葉エキス、エキナセア、キャッツクロー、ジュアール、セントジョーンズワート、ネトル、ノコギリヤシ、その他がみられる。
またいわゆる東洋ハーブ剤には、ウコン、春ウコン、秋ウコン、原生種ウコン、クスリウコン、ガルシニア、きなこ、ギムネマ、サラシア、スギナ、その他がみられる。
またさらにハーブ剤ティーに多用されるカモミール、ペパーミント、ラベンダー、ローズ、ハイビスカス、レモンディライト、リンデンミント、モロッカミント、などもみられる。
本発明においては、主に芳香性によるヒーリング、リラクゼ−ション作用を考慮して、ハーブ剤ティーに多用されるものが良好である。
なお、ハーブには本来殺菌作用が見られるので、長時間に亘り水を還流使用しても、水が汚染されることが少ない。
【００２３】
また、上記の噴射ノズル２’を有する水流ジェット噴射機器２には、ジェット噴射の強弱を調節する強弱スイッチ８及びジェット噴射タイマー９を設ける。これにより、使用者の好みによりジェット噴射水の強弱を調整し、またマイナスイオンの飛散状態を調節することが出来る。またさらに、使用者の好みによりジェット噴射の稼動時間を適宜設定出来る。
【００２４】
上記リラクゼ−ション装置には、この他例えば色調変化が可能な照明装置１０を上記のジェット噴射水受け部４の上部に設ける。この色調変化が可能な照明装置１０を使用者の好みによる色によるものに設定したり、いわゆるブラックライトにするなどにより、視覚的なヒーリング作用が見られる。
殊に、暖色を中心に七色などの色の変化により、よりヒーリング作用、効果を高めることが可能となる。
【００２５】
また、上述のように本リラクゼ−ション装置は、ジェット噴射水を受けるジェット噴射水受け部４から、滝状に落下水が流れ、その際に水衝突音並びに水落下の水流音が滝の音のようにして聞こえ、これによりいわゆるα波としての脳波が発生する。
またさらに、これに加えて上記リラクゼ−ション装置には、この他例えば人為的にクラシックミュージュックなどによるα波発信ミュージック機器１１を上記のジェット噴射水受け部４の側部に設ける。これによってもまた聴覚的なヒーリング作用が見られる。
【００２６】
なお、上述のように、ハーブには本来的に殺菌作用が見られるので、還流水の汚染は少ないが、ハーブを使用しない場合や、ハーブ成分による目詰まりなどが生じるおそれがない場合には、必要に応じて、既知の中空糸束などによるフィルターなどにより、還流水を浄化する浄化装置（不図示）を設けても良い。これにより、本リラクゼ−ション機器を長時間、長期間使用しても、還流水が汚染されたりすることがなく、従って室内が汚染されることがない。
【００２７】
なお、本発明におけるマイナスイオン発生を確認するため、マイナスイオン測定器によるデータを下記する。
（測定装置）イオンモニター機器：
（１）ＭＩＴ社製  「Ｉｏｎ  Ｍｅｔｅｒ」
（２）アンデス社製  「ＩＮＴＩ」
両機種によるマイナスイオン測定を行った。
（測定方法）
（Ａ）１０ｇのトルマリンの粉砕末を湿らせたガーゼに載置し、空気１ｃｃあたりに存在するマイナスイオン個数測定を行った。
（Ｂ）本装置のジェット噴射水受け部における破砕水による空気１ｃｃあたりに存在するマイナスイオン個数測定を行った。
（測定結果）
2004329733.tif 000003
【００２８】
【発明の効果】
以上説明したように、本発明によれば、水流ジェット噴射器並びに当該ジェット噴射水受け部から成ることにより、室内をトータルにヘルシーバラエティにして、それにより人間の疲労、ストレスを本質的に除去し、癒すことができる効果がある。
【００２９】
また、本発明によるリラクゼ−ション装置は、マイナスイオン発生用水を還流する還流器及び／又はハ−ブ等の健康剤を添加混入させる添加混入容器を有するので、マイナスイオンの発生が継続的になされ、またさらに癒しの機能が見られるリラクゼ−ション装置として作用する。
【００３０】
また、本発明によるリラクゼ−ション装置は、ジェット噴射水受け部が、傘型又はパラボナアンテナ型様の窪形状であるので、ジェット噴射水を効果的に集約して受け得ることができ、マイナスイオンを効果的に発生させる効果がある。
【００３１】
また、本発明によるリラクゼ−ション装置は、ジェット噴射水受け部が、一条又は複数条の滝型流を構成しているので、水衝突音並びに滝流れ音によるα波発信による聴覚的ヒーリング並びに落下する滝流れ水が視覚的なヒーリング効果が見られる。
【００３２】
また、本発明によるリラクゼ−ション装置は、ジェット噴射水強弱スイッチを備えているので、使用者の好みにより適宜ジェット噴射水の強弱を調節出来る効果がある。
【００３３】
また、本発明によるリラクゼ−ション装置は、ジェット噴射水タイマーを備えているので、使用者の好みにより適宜ジェット噴射水の稼動時間を調節出来る効果がある。
【００３４】
また、本発明によるリラクゼ−ション装置は、色調変化が可能な照明装置を備えているので、視覚的なヒーリング効果が見られる。
【００３５】
また、本発明によるリラクゼ−ション装置は、α波発信ミュージック機器を備えているので、聴覚的なヒーリング効果が見られる。
【図面の簡単な説明】
【図１】本発明によるリラクゼ−ション装置を説明的に示す斜視図である。
【符号の説明】
１    リラクゼ−ション装置
２    水流ジェット噴射機器
２’  噴射ノズル
３    還流水貯蔵庫
４    ジェット噴射水受け部
５    還流水（落下）
６    還流用のプール部
７    ハーブ剤添加混入容器
８    ジェット噴射強弱スイッチ
９    ジェット噴射タイマー
１０    色調変化が可能な照明装置
１１    α波発信ミュージック機器
２０    リラクゼ−ション室内
【図１】
2004329733.tif 000004